(57)【特許請求の範囲】
【請求項１】
炭素数８〜１６のアルキル基を有するポリオキシアルキレンアルキルエーテル硫酸エステル塩を２５〜５５重量％含有し、界面活性剤を総量で３０〜６０重量％含有し、エタノール及びプロピレングリコールを合計で２〜８重量％（但しエタノールは組成物中３重量％を越えない）含有し、２０℃における粘度が４００〜１０００ｍＰａ・ｓの液体洗浄剤組成物であって、界面活性剤の全重量に対する分岐鎖アルキル基を有する界面活性剤の割合が２０〜６０重量％である液体洗浄剤組成物。
【発明の詳細な説明】
【０００１】
【発明の属する技術分野】
本発明は、液体の洗浄剤組成物にする。
【０００２】
【従来の技術及び発明が解決しようとする課題】
消費者の環境に対する意識が益々高まってきている今日、洗浄剤において廃棄物の低減化への努力がなされており、組成物の濃縮度を上げ、一回当たりの洗浄剤の使用量を低減し、容器をコンパクト化することで廃棄物を少量化する技術が開発されている。
【０００３】
また、洗浄剤には洗浄性能に加えて、洗浄力の持続性が求められている。例えば、手洗いでの食器の洗浄に際し、可撓性吸収体に洗剤を含浸させた後、一度の含浸で洗える食器の枚数が多いほど好ましい。食器洗いの方法に関しては、洗浄剤を水で希釈した水溶液を用い、食器などの被洗浄物を接触させながらスポンジやタオルなどの可撓性吸収体で擦り洗いする方法や、洗浄液と少量の水とを直接含浸させた可撓性吸収体を用いて食器などを擦り洗いする方法があり、一般的に後者の方法がよく行われている。
【０００４】
一方、ポリオキシアルキレンアルキルエーテル硫酸エステル塩は洗浄力が高く、皮膚への刺激性が低いことから、手洗い用の食器用洗剤（以下、食器用洗浄剤と略す）や身体用洗浄剤に使用される。しかしながらポリオキシアルキレンアルキルエーテル硫酸エステル塩を含有する組成物の界面活性剤濃度を高めると、組成物の粘度が著しく上昇するという問題がある。これを解決する方法としては溶剤やハイドロトロープ剤を併用することが考えられるが、ポリオキシアルキレンアルキルエーテル硫酸エステル塩の含有量が多い組成物では効果が低いという問題がある。
【０００５】
特開昭５３−６４２０９号公報には２級アルコールエトキシレート硫酸エステル塩を含有した高濃縮液体洗浄剤組成物が開示されているが、粘度増加を抑制する効果は今だ満足できるものではなく、しかも、洗浄液と少量の水を可撓性吸収体に染み込ませて直接食器などの被洗浄物に擦り洗いする方法において洗浄効果が持続するものではない。
【０００６】
また、特開昭５６−１４１４００号公報には分岐鎖アルキル基を有するアミンオキシドを含有した組成物が開示されているが、このような組成物の界面活性剤濃度を上げるとやはり粘度の増加を引き起こす。
【０００７】
特表平１１−５１３０６７号公報には、界面活性剤濃度の高い洗浄液をゲル化させずに水に溶解させる食器用洗浄剤に関する技術が開示されている。この技術はゲル化防止剤を配合することで、高い界面活性剤濃度における洗剤のゲル化を防止するものである。しかしながら、該公報に開示された組成物は、少量の水と洗浄液を可撓性吸収体に含浸させて洗浄した場合に多くの食器を洗浄することができない。
【０００８】
従って本発明の課題は、界面活性剤濃度が高くとも適度な粘度を有し、水に希釈して使用する際の溶解性に優れるだけでなく、高い洗浄効果を示し且つ洗浄力の持続性に優れた液体の洗浄剤組成物を提供することにある。
【０００９】
【課題を解決するための手段】
本発明は、炭素数８〜１６のアルキル基を有するポリオキシアルキレンアルキルエーテル硫酸エステル塩を２５〜５５重量％含有し、界面活性剤を総量で３０〜６０重量％含有し、水溶性有機溶媒を１〜１０重量％（但しエタノールは組成物中５重量％を越えない）含有し、２０℃における粘度が４００〜１０００ｍＰａ・ｓの液体洗浄剤組成物であって、界面活性剤の全重量に対する分岐鎖アルキル基を有する界面活性剤の割合が２０〜８０重量％である液体洗浄剤組成物を提供する。
【００１０】
【発明の実施の形態】
本発明の組成物は、炭素数１０〜１６のアルキル基を有するポリオキシアルキレンアルキルエーテル硫酸エステル塩を２５〜５５重量％、好ましくは２５〜５０重量％含有し、且つ界面活性剤の総量、好ましくは炭素数８〜１６のアルキル基を有する界面活性剤の総量が３０〜６０重量％、好ましくは３５〜６０重量％である、ポリオキシアルキレンアルキルエーテル硫酸エステル塩を主基剤とする液体洗浄剤組成物である。このような組成物は高洗浄力及び持続性を有し、皮膚刺激性が低い。
【００１１】
本発明の組成物は、ポリオキシアルキレンアルキルエーテル硫酸エステル塩を、組成物中の界面活性剤の全重量に対して５０〜１００重量％含有することが好ましく、５５〜９５重量％がより好ましく、６０〜９０重量％が更に好ましい。
【００１２】
ポリオキシアルキレンアルキルエーテル硫酸エステル塩のアルキル基の炭素数は炭素数８〜１６、好ましくは１０〜１６であり、直鎖でも分岐鎖でもいずれでもよい。また、アルキレンオキサイドはエチレンオキサイドが好ましく、エチレンオキサイドの平均付加モル数は、１．５〜６．０、更に１．６〜４．０、特に２．０〜３．５が好ましい。
【００１３】
また、本発明では、分岐鎖アルキル基を有する界面活性剤を、界面活性剤の全重量に対して２０〜８０重量％、好ましくは２０〜６０重量％、特に好ましくは２０〜５０重量％含有する。ここで分岐鎖アルキル基とは、３個又は４個の炭素原子が結合している炭素原子を少なくとも１つ、好ましくは１〜５つ有するアルキル基である。また、分岐鎖アルキル基の総炭素数は８〜１６、更に１０〜１６が好ましい。
【００１４】
本発明で使用する分岐鎖アルキル基を有する界面活性剤としては、オキソ反応やゲルベ反応で得られるアルコールや脂肪酸から誘導される界面活性剤が好ましい。オキソ反応では炭素数８〜１５の１−アルケンと一酸化炭素との反応から得られるメチル分岐型１級アルコールやメチル分岐型脂肪酸を得ることができる。また、ジイソブチレン、トリイソブチレン、テトライソブチレンと一酸化炭素との反応で得られる多メチル分岐型アルコールや多メチル分岐型脂肪酸を得ることも可能である。ゲルベ反応ではアルデヒドとアルカリによって２位にアルキル基が分岐した１級アルコールを得ることができる。また、Ｎｉ触媒などを用いてアルコールの脱水素反応及び水素化反応を併発させてゲルベ反応を行わせることも可能である。
【００１５】
本発明ではこのようなアルコールや脂肪酸をさらに誘導体化した界面活性剤を用いる。具体的には上記で得られたアルコールをＳＯ3やクロルスルホン酸等を用いて硫酸化して得られた分岐鎖アルキル硫酸エステル塩、エチレンオキシド（以下、ＥＯと表記する）及び／又はプロピレンオキシド（以下、ＰＯと表記する）を付加させたポリオキシエチレン（及び／又はプロピレン）分岐鎖アルキルエーテルを得ることができる。また、さらにこれをＳＯ3やクロルスルホン酸等を用いて硫酸化したポリオキシエチレン（及び／又はプロピレン）分岐鎖アルキルエーテル硫酸エステル塩を用いることもできる。
【００１６】
分岐鎖脂肪酸の誘導体としては、ジメチルアミノプロピルアミンとのアミド化反応物をさらにアルキルクロリド、アルキルブロミド、ジアルキル硫酸、アルキレンオキシドなどのアルキル化剤を用いて４級化反応を行って得られる４級アンモニウム塩や上記アミド化反応物に過酸化水素などの酸化剤で酸化したアミンオキシド化合物を用いることができる。
【００１７】
本発明ではこれらの中でも下記（Ｉ）〜（IV）から選ばれる分岐鎖アルキル型界面活性剤が好ましく、特に（Ｉ）、（II）、（IV）が好ましい。
（Ｉ）全アルキル基の炭素数が８〜１６、最長の直鎖アルキル鎖の炭素数が７〜１５であり、メチル基又はエチル基が１〜５個分岐している分岐鎖アルキル１級アルコールにＥＯ及び／又はＰＯを平均４〜５０、好ましくは５〜２０付加したポリオキシエチレン（及び／又はプロピレン）分岐鎖アルキルエーテル
（II）全アルキル基の炭素数が８〜１６、最長の直鎖アルキル鎖の炭素数が７〜１５であり、メチル基又はエチル基が１〜５個分岐している分岐鎖アルキル１級アルコールにＥＯ及び／又はＰＯ、好ましくはＥＯを平均１．５〜６．０、より好ましくは１．６〜４．０、特に好ましくは２．０〜３．５モル付加したものに、さらにＳＯ3又はクロルスルホン酸で硫酸化したポリオキシエチレン（及び／又はプロピレン）分岐鎖アルキルエーテル硫酸エステル塩、
（III）全アルキル基の炭素数が８〜１６、最長の直鎖アルキル鎖の炭素数が７〜１５であり、メチル基又はエチル基が１〜５個分岐している分岐鎖アルキル１級アルコールをＳＯ3又はクロルスルホン酸で硫酸化した分岐鎖アルキル硫酸エステル塩、
（IV）全アルキル基の炭素数が８〜１６、最長の直鎖アルキル鎖の炭素数が７〜１５であり、メチル基又はエチル基が１〜５個分岐している分岐鎖脂肪酸を原料としたアルカノイルアミノプロピル−Ｎ，Ｎ−ジメチルアミンオキシド。
【００１８】
なお、（II）及び／又は（III）の化合物を用いる場合、対イオンはナトリウム塩、カリウム塩、マグネシウム塩から選ばれる１種以上が望ましい。
【００１９】
本発明では上記分岐型界面活性剤に加えて直鎖型界面活性剤を併用することが好ましい。直鎖型界面活性剤としては特に、アルキル基の炭素数１０〜１６、好ましくは炭素数１０〜１４、アルキレンオキシドの平均縮合度は好ましくは１．５〜６．０、より好ましくは１．６〜４．０、特に好ましくは２．０〜３．５のポリオキシアルキレンアルキルエーテル硫酸エステル塩、一般式（ｉ）で示されるアミンオキシド化合物、及び下記一般式（ii）〜（iv）から選ばれる非イオン界面活性剤から選ばれる１種以上を配合することが好ましい。
【００２０】
【化１】
0003776312.tif 000002
【００２１】
〔式中、Ｒ1は炭素数８〜１６、好ましくは１０〜１６、特に好ましくは１０〜１４の直鎖アルキル基又はアルケニル基であり、Ｒ3、Ｒ4は炭素数１〜３のアルキル基又はヒドロキシアルキル基である。Ｒ2は炭素数１〜５、好ましくは２又は３のアルキレン基である。Ａは−ＣＯＯ−、−ＣＯＮＨ−、−ＯＣＯ−、−ＮＨＣＯ−、−Ｏ−から選ばれる基であり、ｒは０又は１の数である。〕。
【００２２】
Ｒ5−Ｏ(ＥＯ)nＨ              （ii）
〔式中、Ｒ5は平均炭素数８〜１６、好ましくは１０〜１６の直鎖アルキル基である。ＥＯはエチレンオキサイドであり、ｎは平均付加モル数として５〜２０である。〕
Ｒ6−Ｏ[(ＥＯ)p／(ＰＯ)q]Ｈ    （iii）
〔式中、Ｒ6は平均炭素数８〜１６、好ましくは１０〜１６の直鎖アルキル基である。ＥＯはエチレンオキサイド、ＰＯはプロピレンオキサイドを示す。ｐは５〜１５、ｑは１〜５である。ＥＯとＰＯはランダム付加又はＥＯを付加した後、ＰＯを付加してもよく、またその逆のようなブロック付加体でもよい。〕
Ｒ7−(ＯＲ8)xＧy              （iv）
〔式中、Ｒ7は直鎖の炭素数８〜１６のアルキル基、アルケニル基、又はアルキルフェニル基、Ｒ8は炭素数２〜４のアルケニル基、Ｇは炭素数５又は６の還元糖に由来する残基、ｘは平均値０〜６の数、ｙは平均値１〜１０の数を示す。〕。
【００２３】
本発明では分岐型及び直鎖型の界面活性剤を混合して使用するが、洗浄効果及び適度な粘度が得られる点から、分岐鎖と直鎖を合わせた全アミンオキシドを組成物中に１〜１０重量％、特に３〜９重量％含有することが好ましく、全非イオン界面活性剤の含有量が組成物中１〜２０重量％、特に３〜１５重量％であることが好ましい。更に、適度な粘度が得られる点から、全ポリオキシアルキレンアルキルエーテル硫酸エステル塩／全アミンオキシドの重量比は、好ましくは２／１〜１０／１、特に好ましくは３／１〜１０／１である。
【００２４】
本発明では上記界面活性剤以外の界面活性剤を配合することができるが、目的の粘度を損なわないことが重要である。陰イオン界面活性剤としては通常液体洗浄剤に使用する直鎖アルキルベンゼンスルホン酸塩、α−スルホ脂肪酸エステル塩、α−オレフィンスルホン酸塩、アルカンスルホン酸塩を配合しても差し支えないが、これら陰イオン界面活性剤の配合量は上記性質を満足するために５重量％以下、好ましくは３重量％以下が好ましい。また、両性界面活性剤としてカルボベタイン、スルホベタインを配合することができるが、これら両性界面活性剤の配合量は好ましくは５重量％以下、より好ましくは３重量％以下である。
【００２５】
本発明の組成物は、粘度及び粘度安定性の点から、さらに組成物中にアルカリ金属陽イオン及び／又はアルカリ土類金属陽イオンを好ましくは２〜１０重量％、より好ましくは３〜８重量％含有することが望ましい。アルカリ金属陽イオンとしてはナトリウムイオン、カリウムイオンが良好であり、アルカリ土類金属としてはマグネシウムイオンが良好である。本発明では特にマグネシウムイオンを好ましくは０．２〜２重量％、より好ましくは０．３〜１．５重量％の濃度で配合すること好ましい。本発明において、陽イオンの量は、陰イオン界面活性剤の対イオンや他の成分から取り込まれたものすべてを含み、含有量が足りない場合は、硫酸ナトリウム、硫酸カリウム、硫酸マグネシウム、塩化ナトリウム、塩化カリウム、塩化マグネシウム、水酸化ナトリウム、水酸化カリウム、水酸化マグネシウムから選ばれる１種以上の水溶性無機塩を上記範囲に入るように添加すればよい。また、これら陽イオンが多すぎる場合には電気透析などの手法を用いて塩を除去することが好ましい。このような無機の陽イオンの量は、例えば組成物全体を通常の原子吸光法などの無機分析法により定量することで求めることができる。
【００２６】
本発明では水への溶解性と目的の粘度に調整するために水溶性有機溶媒を配合する。水溶性有機溶媒としては（１）炭素数１〜５の１価アルコール、（２）炭素数４〜１２の多価アルコール、（３）下記の一般式（ｖ）で表される化合物、（４）下記の一般式（vi）で表される化合物、（５）下記の一般式（vii）で表される化合物が好ましい。
【００２７】
【化２】
0003776312.tif 000003
【００２８】
〔式中、Ｒ9及びＲ10は、それぞれ水素原子、炭素数１〜６のアルキル基、フェニル基又はベンジル基を示すが、Ｒ9及びＲ10の双方が水素原子となる場合を除く。ｓは０〜１０の数を、ｔは０〜１０の数を示すが、ｓ及びｔの双方が０である場合を除く。Ｒ11及びＲ12は炭素数１〜３のアルキル基を示す。Ｒ13は炭素数１〜８のアルキル基を示す。〕。
【００２９】
（１）の炭素数２〜５の１価アルコールとしては、エタノール、プロピルアルコール、イソプロピルアルコールが挙げられる。これらの低級アルコールを配合することにより低温における系の安定性を更に向上させることができる。
【００３０】
（２）の炭素数４〜１２の多価アルコールとしては、イソプレングリコール、２，２，４−トリメチル−１，３−ペンタンジオール、１，８−オクタンジオール、１，９−ノナンジオール、エチレングリコール、プロピレングリコール、ジエチレングリコール、ジプロピレングリコール、グリセリン等が挙げられる。
【００３１】
（３）の化合物は、一般式（ｖ）において、Ｒ9、Ｒ10がアルキル基である場合の炭素数は１〜４が特に好ましい。また、一般式（ｖ）中、ＥＯ及びＰＯの平均付加モル数のｓ及びｔは、それぞれ０〜１０の数である（ｓ及びｔの双方が０である場合を除く）が、これらの付加順序は特に限定されず、ランダム付加したものであってもよい。（３）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｐ＝２〜３）グリコールジメチルエーテル（ｐは平均付加モル数を示す）、ポリオキシエチレン（ｐ＝３）グリコールフェニルエーテル、フェニルカルビトール、フェニルセロソルブ、ベンジルカルビトール等が挙げられる。このうち、洗浄力及び使用感の点から、プロピレングリコールモノメチルエーテル、ジエチレングリコールモノブチルエーテル、ポリオキシエチレン（ｐ＝１〜４）グリコールフェニルエーテルが好ましい。
【００３２】
また、（４）の化合物としては、１，３−ジメチル−２−イミダゾリジノン、１，３−ジエチル−２−イミダゾリジノンが好適なものとして例示され、（５）の化合物としてはアルキルグリセリルエーテル化合物が好適なものとして例示され、中でもＲ13が炭素数３〜８のアルキル基の化合物が好ましい。
【００３３】
これらのなかでも本発明の性質を満たすために（１）、（２）、（３）及び（５）の水溶性有機溶媒が好ましく、特にエタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、ペンチルグリセリルエーテル、オクチルグリセリルエーテルから選ばれる水溶性有機溶媒が好ましい。
【００３４】
本発明の組成物では、溶解性の点より、このような水溶性有機溶媒を１〜１０重量％、好ましくは２〜８重量％配合するが、エタノールの配合量は洗浄力の点で組成物中５重量％、好ましくは３重量％を超えないことが好ましい。水溶性有機溶媒を多く配合すると、粘度低下だけでなく流動性が増すため低温において結晶が発生しやすくなったり、室温で放置した場合、表面から水溶性有機溶媒の揮発により造膜する傾向が強くなる。また、これら水溶性有機溶媒は粘度を低下させる上で効果的な成分であるが、本発明では、水溶性有機溶媒を配合する場合は、液体洗浄剤組成物の粘度が４００ｍＰ・ｓ未満にならないように適宜調整される。粘度が４００ｍＰ・ｓ未満になる量で配合すると、洗浄力の持続性の効果を得ることができない。
【００３５】
本発明の組成物は、更に貯蔵安定性、粘度調整及び粘度安定性（経時に粘度が変化しないこと）の上でハイドロトロープ剤を含有することが好ましい。ハイドロトロープ剤としてはトルエンスルホン酸、キシレンスルホン酸、クメンスルホン酸及びこれらのナトリウム、カリウムあるいはマグネシウム塩が良好であり、特にｐ−トルエンスルホン酸及びその塩が良好である。
【００３６】
本発明の組成物は、ハイドロトロープ剤を好ましくは０．５〜５重量％、特に好ましくは１〜５重量％含有する。
【００３７】
本発明の組成物は、上記成分及び水を配合した水溶液の形態であり、水の含有量は、適度な粘度が得られる点から、２０〜６０重量％、好ましくは３０〜６０重量％、より好ましくは４０〜６０重量％、特に好ましくは４５〜５５重量％である。また、該組成物の２０℃におけるｐＨを６〜８、好ましくは６．５〜７．５にすることが貯蔵安定性や皮膚への安全性の点から好ましい。ｐＨ調整剤としては塩酸や硫酸などの無機酸や、クエン酸、コハク酸、リンゴ酸、フマル酸、酒石酸、マロン酸、マレイン酸などの有機酸などの酸剤や、水酸化ナトリウムや水酸化カリウム、アンモニアやその誘導体、モノエタノールアミンやジエタノールアミン、トリエタノールアミンなどのアミン塩など、炭酸ナトリウム、炭酸カリウムなどのアルカリ剤を、単独もしくは複合して用いることが好ましく、特に塩酸、硫酸、クエン酸から選ばれる酸と水酸化ナトリウム、水酸化カリウムから選ばれるアルカリ剤を用いることが好ましい。
【００３８】
本発明の液体洗浄剤組成物は、２０℃における粘度が４００〜１０００ｍＰａ・ｓ、好ましくは４００〜９００ｍＰａ・ｓ、特に５００〜９００ｍＰａ・ｓであり、このような粘度に調整することにより、直接、可撓性吸収体に含浸させて洗浄するような方法において、洗浄力の持続性を高めることができる。粘度の調整は、分岐鎖を有する界面活性剤の種類や界面活性剤の組み合わせ又は分岐率の調整の他に、前記ハイドロトロープ剤、水溶性有機溶媒、水溶性無機塩及び水の配合量を調整することによって行ってもよい。
【００３９】
なお、本発明でいう粘度は以下のようにして測定する。まずＴＯＫＩＭＥＣ.ＩＮＣ製Ｂ型粘度計モデルＢＭに、ローター番号Ｎｏ.３のローターを備え付けたものを準備する。試料をトールビーカーに充填し２０℃の恒温槽内にて２０℃に調製する。恒温に調製された試料を粘度計にセットする。ローターの回転数を３０ｒ／ｍに設定し、回転を始めてから６０秒後の粘度を本発明の粘度とする。
【００４０】
本発明の液体洗浄剤組成物には、香料成分、着色剤、分散剤、研磨剤及び防菌・防カビ剤等の一般に液体洗浄剤に配合されている成分を、粘度及び安定性に影響しない範囲で配合することができる。
【００４１】
【実施例】
表１に示す成分を用いて洗浄剤組成物を調製した。これら組成物の粘度、洗浄効果の持続性及び水への溶解性を下記の方法で評価した。結果を表１に示す。
【００４２】
＜洗浄力試験＞
・モデル汚れの調整
サラダ油／牛脂を１／１の重量比で混合し、さらに０．１重量％の色素（スタンレッド）を均一に混ぜ込んだモデル油汚れ２ｇをメラミン皿に均一に塗り広げたものをモデル汚染食器とした。
・洗浄方法及び評価方法
市販のスポンジ（金鳥クリーナーＮｏ．５００５、ポリウレタンフォーム）に界面活性剤が０．４４ｇとなる量で、表１の液体洗浄剤組成物及び水道水１５ｇを含浸させ２〜３回手でもみ泡立たせた。これを用いてモデル汚染食器を擦り洗いし、洗浄（食器に付着した色が消えることにより確認）できた皿の枚数を求めた。
【００４３】
＜溶解性試験＞
高さ１３ｍｍ、幅５ｍｍ、厚さ２ｍｍの脚を３本取り付けた直径３５ｍｍの円形ガラス板を２００ｍｌのガラス製ビーカーの中央部に設置し、イオン交換水２００ｍｌ及びテフロン製撹拌子（長さ２５ｍｍ、直径８ｍｍ）を入れ、２５℃の撹拌装置付き恒温水槽で温度が平衡に達するまで放置した。予め２５℃の恒温水槽中で温度を平衡化した組成物０．２５ｍｌを、シリンジを用い、上記ガラス板上面の中央部に静かに静置した。注入後、直ちに回転数１０００回転／分にて３０分間撹拌した。３０分後に組成物が完全に溶解している場合を○、ガラス板上及び液中に組成物が残っている場合を×とした。
【００４４】
【表１】
0003776312.tif 000004
【００４５】
（注）表中の記号は以下のものを表す。
・ａ−１：イソトリデカノールにＥＯを平均２モル付加させた化合物から得たポリオキシアルキレン分岐鎖アルキルエーテル硫酸エステルナトリウム
・ａ−２：イソトリデカノールにＥＯを平均７モル付加させた非イオン界面活性剤
・ａ−３：Ｎ−イソノナノイルアミノプロピル−Ｎ，Ｎ−ジメチルアミンオキシド
・ｂ−１：ポリオキシエチレンラウリルエーテル硫酸エステルナトリウム（ＥＯ平均付加モル数２）
・ｂ−２：アルキル基の組成が炭素数１２／炭素数１４＝６０／４０の直鎖混合アルキルであり、グルコシド平均縮合度１のアルキルグルコシド
・ｂ−３：ポリオキシエチレンラウリルエーテル（ＥＯ平均付加モル数７）
・ｂ−４：ラウリルジメチルアミンオキシド
・ポリプロピレングリコール：重量平均分子量１２００
・防腐剤：プロキセルＢＤＮ（アビシア株式会社製）
・無機陽イオン量：原子吸光法にて定量したアルカリ金属陽イオン及び／又はアルカリ土類金属陽イオンの量。
・ＥＳ：ポリオキシアルキレンアルキルエーテル硫酸エステル塩
・ｐＨ：１／１０Ｎ−硫酸水溶液又は１／１０Ｎ−水酸化ナトリウムを用いて調整した。